(57)【特許請求の範囲】
【請求項１】
少なくとも前面を開口したショーケース本体と、ショーケース本体の上面を覆う天板と、ショーケース本体内の底面側、背面側及び天板の下方に沿って形成された通風路と、通風路内に配置された冷却器及び送風機とを備え、ショーケース本体の前面開口部の下端側に設けた空気吸入口から通風路内に吸入した空気を冷却器によって冷却し、ショーケース本体の前面開口部の上端側に設けた空気吐出口から吐出するようにしたオープンショーケースにおいて、
前記ショーケース本体の背面側に連結され、ショーケース本体の背面側から前記天板の下面に沿って前方に延びる補強部材を備え、
補強部材の前端側には天板の前端側を下方から支持し且つ天板の前端側の高さ位置を任意に調整可能な高さ調整機構を設けた
ことを特徴とするオープンショーケース。
【請求項２】
前記補強部材を上面側通風路内に配置した
ことを特徴とする請求項１記載のオープンショーケース。
【請求項３】
前記高さ調整機構を補強部材に上下方向に移動自在に螺合するボルトによって形成した
ことを特徴とする請求項１または２記載のオープンショーケース。
【請求項４】
前記高さ調整機構を前記空気吐出口の上方に配置した
ことを特徴とする請求項１、２または３記載のオープンショーケース。
【請求項５】
前記上面側通風路の下方を覆う上面板を備え、
上面板に前記高さ調整機構の下方に位置する開閉自在な孔を設けた
ことを特徴とする請求項１、２または３記載のオープンショーケース。
【発明の詳細な説明】
【０００１】
【発明の属する技術分野】
本発明は、スーパーマーケット等の店舗に設置されるオープンショーケースに関するものである。
【０００２】
【従来の技術】
従来、この種のオープンショーケースとしては、図６に示すように前面及び幅方向両側面を開口した複数のオープンショーケースＳ1 を互いに幅方向に連結するとともに、このオープンショーケースＳ1 の列を互いに背面側が対向するように計２列に配置し、各列の両端にはそれぞれ前面、左右両側面及び背面の幅方向両端側を開口したラウンド型オープンショーケースＳ2 を連結している。これら各オープンショーケースは、例えば実開平４−７４２７６号公報に記載されているように、前記開口部を有するショーケース本体と、ショーケース本体の上面を覆う天板と、ショーケース本体内の底面側、背面側及び天板の下方に沿って形成された通風路と、通風路内に配置された冷却器及び送風機とを備え、ショーケース本体の前面開口部の下端側から通風路内に吸入した空気を冷却器によって冷却し、ショーケース本体の前面開口部の上端側から吐出するようになっている。
【０００３】
【発明が解決しようとする課題】
しかしながら、前記ラウンド型オープンショーケースＳ2 では、前面、幅方向両側面及び背面の一部も開口しているため、天板を支持する部分がショーケース本体の背面側またはその一部のみとなり、天板の端部が自重で下方に傾き易いという難点がある。このため、設置現場で別途補強部材を取付けるなどの措置を講じているが、現場での作業工数が増加し、設置コストの面で不利であった。また、天板を補強しても正確に水平状態を維持するのは困難であり、このため各オープンショーケースＳ1 ，Ｓ2 の天板が互いに上下方向に不揃いになり、外観を損なうという問題点もあった。
【０００４】
本発明は前記問題点に鑑みてなされたものであり、その目的とするところは、天板の自重による傾きを確実に防止することができ、しかも天板の端部の高さ位置を容易に調整することのできるオープンショーケースを提供することにある。
【０００５】
【課題を解決するための手段】
本発明は前記目的を達成するために、請求項１では、少なくとも前面を開口したショーケース本体と、ショーケース本体の上面を覆う天板と、ショーケース本体内の底面側、背面側及び天板の下方に沿って形成された通風路と、通風路内に配置された冷却器及び送風機とを備え、ショーケース本体の前面開口部の下端側に設けた空気吸入口から通風路内に吸入した空気を冷却器によって冷却し、ショーケース本体の前面開口部の上端側に設けた空気吐出口から吐出するようにしたオープンショーケースにおいて、前記ショーケース本体の背面側に連結され、ショーケース本体の背面側から前記天板の下面に沿って前方に延びる補強部材を備え、補強部材の前端側には天板の前端側を下方から支持し且つ天板の前端側の高さ位置を任意に調整可能な高さ調整機構を設けている。これにより、天板が補強部材によって支持されるとともに、高さ調整機構によって天板の前端側の高さ位置が任意に調整される。
【０００６】
また、請求項２では、請求項１記載のオープンショーケースにおいて、補強部材を上面側通風路内に配置している。これにより、請求項１の作用に加え、補強部材が天板の上方に露出することがない。
【０００７】
また、請求項３では、請求項１または２記載のオープンショーケースにおいて、前記高さ調整機構を補強部材に上下方向に移動自在に螺合するボルトによって形成している。これにより、請求項１または２の作用に加え、前記ボルトの回動操作によって高さ調整機構による天板の高さ位置の調整が行われる。
【０００８】
また、請求項４では、請求項１、２または３記載のオープンショーケースにおいて、前記高さ調整機構を前記空気吐出口の上方に配置している。これにより、請求項１、２または３の作用に加え、高さ調整機構が外部に露出することがなく、その操作は空気吐出口から行うことが可能である。
【０００９】
また、請求項５では、請求項１、２または３記載のオープンショーケースにおいて、前記上面側通風路の下方を覆う上面板を備え、上面板に前記高さ調整機構の下方に位置する開閉自在な孔を設けている。これにより、請求項１、２または３の作用に加え、高さ調整機構が外部に露出することがなく、その操作は上面板の孔から行うことが可能である。
【００１０】
【発明の実施の形態】
図１乃至図４は本発明の一実施形態を示すもので、図１はオープンショーケースの側面断面図、図２は補強部材の要部側面図、図３はその要部平面図、図４はその要部側面断面図である。
【００１１】
このオープンショーケースは前面及び両側面を開口したショーケース本体１と、ショーケース本体１内に取付けられた上下複数段の商品棚２と、ショーケース本体１内の底面側、背面側及び上面側に沿って形成された通風路３と、通風路３内に配置された冷却器４及び送風機５とを備え、ショーケース本体１の前面開口部の下端側に設けた空気吸入口１ａから通風路２内に吸入した空気を冷却器４によって冷却し、ショーケース本体１の前面開口部の上端側に設けた空気吐出口１ｂから吐出するようになっている。
【００１２】
ショーケース本体１は、その上面側を覆う断熱性の天板６と、ショーケース本体１の背面側、底面側及び前面側の下部を覆う断熱壁７と、天板６の下方を覆う上面板８と、背面側断熱壁７の前方を覆う背面板９と、底面側断熱壁７の上方を覆う底板１０とからなり、天板６及び断熱壁７と、上面板８、背面板９及び底板１０との間に前記通風路３を形成している。また、ショーケース本体１の空気吐出口１ｂには整流格子１ｃが取付けられている。更に、ショーケース本体１は、断熱壁７の背面側の後方及び底面側の下方に沿って延びるＬ字形の第１の補強部材１１と、天板６の下方及び背面側断熱壁７の上部前方に沿って延びるＬ字形の第２の補強部材１２とを備え、各補強部材１１，１２は複数のボルト１３及びナット１４により、互いに背面側断熱壁７を間にして連結されている。
【００１３】
第１の補強部材１１は十分な強度を有する断面略コ字状の鋼材からなり、上下方向に延びる縦材１１ａと、前後方向に延びる横材１１ｂとを互いに溶接等によって接合してなる。この場合、横材１１ｂの前端側及び後端側にはそれぞれ脚１１ｃが取付けられている。
【００１４】
第２の補強部材１２は上面側通風路３内に配置され、第１の補強部材１１と同様、十分な強度を有する断面略コ字状の鋼材からなり、上下方向に延びる縦材１２ａと、前後方向に延びる横材１２ｂとを互いに溶接等によって接合してなる。横材１２ｂの前端側には天板６の前端側を下方から支持する高さ調整機構としてのアジャストボルト１２ｃが取付けられ、アジャストボルト１２ｃは空気吐出口１ｂの上方に配置されている。アジャストボルト１２ｃ横材１２ｂに固定されたナット１２ｄに螺合しており、その先端を天板６の下面に当接している。即ち、アジャストボルト１２ｃを回動することにより、アジャストボルト１２ｃが上下方向に移動するようになっている。また、天板６側にはアジャストボルト１２ｃと係合する位置決め板１５が取付けられ、位置決め板１５に設けられた孔１５ａにアジャストボルト１２ｃの先端部が挿入されるようになっている。
【００１５】
以上のように構成されたオープンショーケースにおいては、ショーケース本体１の天板６が第２の補強部材１２によって下方から支持されることから、天板６の前端側が自重で下方へ傾くことがない。この場合、第２の補強部材１２のアジャストボルト１２ｃを回動して上下方向に移動することにより、天板６の前端側の高さ位置が任意に調整される。また、図４に示すように空気吐出口１ｂの整流格子１ｃを取外すことにより、空気吐出口１ｂからアジャストボルト１２ｃの回動操作が可能となる。
【００１６】
このように、本実施形態のオープンショーケースによれば、ショーケース本体１の背面側から前方に延びる第２の補強部材１２によって天板６を支持するようにしたので、天板６の自重による傾きを確実に防止することができ、例えばラウンド型オープンショーケースのようにショーケース本体１の前面、両側面及び背面の一部（コーナー用のみ）を開口したものや、ショーケース本体１の幅方向の寸法が大きい場合など、天板６の支持部分が小さい場合に極めて有利である。この場合、天板６を支持する第２の補強部材１２を上面側通風路３内に配置したので、第２の補強部材１２が天板６の上方に露出することがなく、ショーケース本体１の高さ寸法が低い場合でも天板６上の見栄えを損なうことはないという利点がある。また、第２の補強部材１２に設けたアジャストボルト１２ｃによって天板６の端部の高さ位置を任意に調整することにより、オープンショーケースの設置現場等で天板６を容易に水平状態にすることができるので、特にラウンド型オープンショーケースと共に複数のオープンショーケースを互いに連結する場合は各オープンショーケースの天板６の高さ位置を確実に揃えることができる。更に、アジャストボルト１２ｃを空気吐出口１ｂの上方に配置したので、アジャストボルト１２ｃが外部に露出することがなく、美観の向上を図ることができる。
【００１７】
尚、前記実施形態では、空気吐出口１ｂの整流格子１ｃを取外してアジャストボルト１２ｃを操作するようにしたものを示したが、図５に示すように上面板８に孔８ａを設け、この孔８ａの上方にアジャストボルト１２ｃを配置することにより、孔８ａからアジャストボルト１２ｃを操作するようにしてもよい。この場合、孔８ａには合成樹脂やゴム等からなる蓋体１６が着脱自在に取付けられている。
【００１８】
【発明の効果】
以上説明したように、請求項１のオープンショーケースによれば、天板の自重による傾きを確実に防止することができ、しかも天板の端部の高さ位置を容易に調整することができる。これにより、オープンショーケースの設置現場等で天板を容易に水平状態にすることができるとともに、ラウンド型オープンショーケースと共に他のオープンショーケースを連結する場合は各オープンショーケースの天板の高さ位置を確実に揃えることができる。
【００１９】
また、請求項２のオープンショーケースによれば、請求項１の効果に加え、補強部材が天板の上方に露出することがないので、ショーケース本体の高さ寸法が低い場合でも天板上の見栄えを損なうことはないという利点がある。
【００２０】
また、請求項３のオープンショーケースによれば、請求項１または２の効果に加え、ボルトの回動操作によって天板の高さ位置を調整することができるので、調整作業を極めて容易に行うことができる。
【００２１】
また、請求項４及び５のオープンショーケースによれば、請求項１、２または３の効果に加え、高さ調整機構が外部に露出することがないので、美観の向上を図ることができる。
【図面の簡単な説明】
【図１】本発明の一実施形態を示すオープンショーケースの側面断面図
【図２】補強部材の要部側面図
【図３】補強部材の要部平面図
【図４】オープンショーケースの要部側面断面図
【図５】本発明の他の実施形態を示すオープンショーケースの要部側面断面図
【図６】従来のラウンド型オープンショーケースの連結状態を示す全体斜視図
【符号の説明】
１…ショーケース本体、１ａ…空気吸入口、１ｂ…空気吐出口、３…通風路、４…冷却器、５…送風機、６…天板、８…上面板、８ａ…孔、１１…第１の補強部材、１２…第２の補強部材、１２ｃ…アジャストボルト。
【図１】
0003901395.tif 000002
【図２】
0003901395.tif 000003
【図３】
0003901395.tif 000004
【図４】
0003901395.tif 000005
【図５】
0003901395.tif 000006
【図６】
0003901395.tif 000007